(57)【要約】【課題】芳香剤の吸上げ部材を用いる芳香器において、使用開始段階の香りを穏やかにし、使用段階では芳香剤の揮散量の経時的減量を回避すること。【解決手段】芳香器１０であって、使用開始段階で、吸上げ部材２１の周囲に筒状部材２３付きフロート２２を組付けたサブ組体を容器１１の開口部から容器１１内に組入れ可能にし、キャップ１２を容器１１の開口部に取着する過程で該キャップ１２により筒状部材２３付きフロート２２を容器１１内の芳香剤中に落とし込み可能にするもの【選択図】  図３
2004267470.tif 000002
【特許請求の範囲】
【請求項１】
芳香剤を収容する容器と、
容器内の芳香剤に一端側を浸漬し、他端側を揮散領域の側に立上げられる吸上げ部材と、
吸上げ部材の周囲に配置され、芳香剤上に浮くように設けられるフロートと、
フロートの上部に設けられ、吸上げ部材の周囲を揮散領域に対して遮蔽する筒状部材と、
容器の開口部に設けられ、筒状部材を遊挿可能にするキャップとを有してなる芳香器であって、
使用開始段階で、吸上げ部材の周囲に筒状部材付きフロートを組付けたサブ組体を容器の開口部から容器内に組入れ可能にし、キャップを容器の開口部に取着する過程で該キャップにより筒状部材付きフロートを容器内の芳香剤中に落とし込み可能にする芳香器。
【請求項２】
前記キャップによる前記筒状部材付きフロートの落とし込み初期状態で、該キャップは該フロートに作用する浮力に抗して該フロートを容器内の芳香剤中に押し込み状態にする請求項１に記載の芳香器。
【請求項３】
前記キャップの揮散領域に位置する側に、吸上げ部材が接触する揮散部材を設けた請求項１又は２に記載の芳香器。
【発明の詳細な説明】
【０００１】
【発明の属する技術分野】
本発明は芳香器に関する。
【０００２】
【従来の技術】
特許文献１に記載の如く、芳香器として、容器内の芳香剤に吸上げ部材の一端側を浸漬し、容器外の他端側を揮散領域の側に立上げ、吸上げ部材に浸透した容器内の芳香剤を揮散領域にて揮散するものがある。
【０００３】
【特許文献１】
特開平９−１８７４９５（２頁、図４）
【０００４】
【発明が解決しようとする課題】
▲１▼特許文献１では、芳香器の生産段階から容器内の芳香剤に吸上げ部材を浸漬しており、吸上げ部材には大量の芳香剤が浸透蓄積される。従って、使用開始段階で、吸上げ部材の揮散領域を周囲に開放したとき、大量の芳香成分が一度に揮散され、香りを過度に強くする。使用開始当初から穏やかな香りが望まれる。
【０００５】
▲２▼特許文献１では、芳香器の使用段階で、容器内の芳香剤が吸上げ部材に吸上げられて揮散し続ける間に、吸上げ部材の揮散領域に臨む面に芳香剤のうちで揮散しにくい成分がつまり、吸上げ部材の吸上げ能力を経時的に低下する。これにより、吸上げ部材から揮散領域への芳香剤の揮散量が経時的に減じ、香りが次第に弱くなる。
【０００６】
本発明の課題は、芳香剤の吸上げ部材を用いる芳香器において、使用開始段階の香りを穏やかにし、使用段階では芳香剤の揮散量の経時的減量を回避することにある。
【０００７】
【課題を解決するための手段】
請求項１の発明は、芳香剤を収容する容器と、容器内の芳香剤に一端側を浸漬し、他端側を揮散領域の側に立上げられる吸上げ部材と、吸上げ部材の周囲に配置され、芳香剤上に浮くように設けられるフロートと、フロートの上部に設けられ、吸上げ部材の周囲を揮散領域に対して遮蔽する筒状部材と、容器の開口部に設けられ、筒状部材を遊挿可能にするキャップとを有してなる芳香器であって、使用開始段階で、吸上げ部材の周囲に筒状部材付きフロートを組付けたサブ組体を容器の開口部から容器内に組入れ可能にし、キャップを容器の開口部に取着する過程で該キャップにより筒状部材付きフロートを容器内の芳香剤中に落とし込み可能にするようにしたものである。
【０００８】
【発明の実施の形態】
芳香器１０は、使用開始前段階（物流段階）で、図１に示す如く、容器１１とキャップ１２（下キャップ１３、上キャップ１４）と中栓１５のサブ組体Ａと、吸上げ部材２１とフロート２２と筒状部材２３のサブ組体Ｂにて構成される。
【０００９】
（サブ組体Ａ）
容器１１は液状芳香剤Ｌを収容する。容器１１は開口部１１Ａの外周にキャップ１２のためのねじ部１１Ｂを備え、底面には吸上げ部材２１を立設支持するための挿入凹部１１Ｃを備える。
【００１０】
キャップ１２は容器１１の開口部１１Ａ（ねじ部１１Ｂ）に螺着される下キャップ１３と、下キャップ１３に係着された上キャップ１４の結合体からなる。下キャップ１３は、容器１１のねじ部１１Ｂに螺着されるねじ部１３Ａと、吸上げ部材２１、筒状部材２３を遊挿可能にする内周筒部１３Ｂの孔と、上キャップ１４が係着される係止部１３Ｃを備える。上キャップ１４は、揮散領域１６を囲む、例えばドーム状をなし、揮散領域１６を外方空間に連通する複数の通気口１４Ａを備える。上キャップ１４は、揮散領域１６に臨む天面内側部に濾紙等からなる円盤状揮散部材１７を係合保持する。揮散部材１７の下面には、吸上げ部材２１の上端面が接触し、吸上げ部材２１が吸上げた芳香剤を揮散部材１７に浸透可能にする。
【００１１】
中栓１５は容器１１の開口部１１Ａの上縁に載せられてキャップ１２で固定化され、物流段階で、容器１１に収容している芳香剤を封止する。
【００１２】
容器１１は芳香剤を装填され、中栓１５を螺着された状態で、キャップ１２（下キャップ１３、上キャップ１４）を螺着され、サブ組体Ａを構成する。
【００１３】
（サブ組体Ｂ）
吸上げ部材２１は、フェルト芯、焼結金属棒等からなり、下キャップ１３の内周筒部１３Ｂから容器１１内に挿入されてその一端部を容器１１の挿入凹部１１Ｃに挿入される。吸上げ部材２１は、容器１１内の芳香剤に一端側を浸漬し、他端側を容器１１の外の上キャップ１４で囲まれる揮散領域１６の側に立上げられる。吸上げ部材２１の膨出状頭部２１Ａの上端面は上キャップ１４に設けた揮散部材１７の下面に接触する。
【００１４】
フロート２２は、吸上げ部材２１の周囲に遊挿され、上下動自在となるように配置され、容器１１への組入れ状態では、芳香剤の上に浮くように設けられる。フロート２２は、中空体からなる。
【００１５】
筒状部材２３は、フロート２２の上部に一体成形されて設けられ、吸上げ部材２１の周囲に遊挿され、フロート２２とともに上下動自在となるように配置される。筒状部材２３は、吸上げ部材２１の周囲を揮散領域１６に対して遮蔽する。尚、本実施形態では、筒状部材２３は、吸上げ部材２１の上端側の一定長さ範囲の当初開放面Ｈ０については使用開始段階から遮蔽しない。
【００１６】
フロート２２及び筒状部材２３は、吸上げ部材２１の周囲に遊挿された組付状態で、筒状部材２３の上端部２３Ａを吸上げ部材２１の膨出状頭部２１Ａに下から係止する等（筒状部材２３の上端部２３Ａに設けた針を吸上げ部材２１の頭部２１Ａに刺通する等）により仮止めされ、サブ組体Ｂを構成する。
【００１７】
芳香器１０の使用手順は以下の如くになる。
（１）サブ組体Ａにおいて、容器１１からキャップ１２（下キャップ１３、上キャップ１４）、中栓１５を取外す。
【００１８】
（２）サブ組体Ｂの吸上げ部材２１、フロート２２、筒状部材２３を容器１１の開口部１１Ａから容器内に組入れる。吸上げ部材２１の下端部を容器１１の底面の挿入凹部１１Ｃに挿入し、吸上げ部材２１を立設する。このとき、フロート２２と筒状部材２３は吸上げ部材２１の周囲に小さ目の隙間を介して遊挿され、フロート２２は容器１１の開口部１１Ａの内周に小さ目の隙間を介して遊挿される。これにより、フロート２２と筒状部材２３は、吸上げ部材２１と容器１１の開口部１１Ａにガイドされて位置決めされ、容器１１内の芳香剤の上に浮く（図２）。
【００１９】
（３）キャップ１２（下キャップ１３）の内周筒部１３Ｂの孔に上述（２）の吸上げ部材２１、筒状部材２３を遊挿し、下キャップ１３のねじ部１３Ａを容器１１の開口部１１Ａのねじ部１１Ｂに螺着する。この螺着の過程で、下キャップ１３の内周筒部１３Ｂの下端面（下キャップ１３の下面から下方に突出する部分でも可）によりフロート２２の上端面を圧下し、筒状部材２３の上端部２３Ａと吸上げ部材２１の頭部２１Ａとの仮止めを解除させ、フロート２２及び筒状部材２３を容器１１内の芳香剤中に落とし込む。キャップ１２（下キャップ１３）は容器１１に打ち込み嵌合して取着されても良く、下キャップ１３の打ち込みの過程でフロート２２及び筒状部材２３を容器１１内の芳香剤中に落とし込んでも良い。
【００２０】
（４）上述（３）の下キャップ１３によるフロート２２及び筒状部材２３の落とし込み初期状態で、下キャップ１３はフロート２２に作用する浮力ｆ０に抗してフロート２２を容器１１内の芳香剤中に押し込み状態にする（図３）。即ち、フロート２２は筒状部材２３及びフロート２３に作用する重力とつり合う浮力ｆ０を生ずる深さを越えて芳香剤の中に押し込まれ、浮力ｆ０より大きな浮力ｆ１を受け、この浮力ｆ１による上方への浮上を下キャップ１３により制止される。
【００２１】
（５）上述（３）の下キャップ１３の螺着完了状態で、上キャップ１４が保持する揮散部材１７の下面が吸上げ部材２１の頭部２１Ａの上端面に接触する。
【００２２】
（６）以上により、芳香器１０は、吸上げ部材２１が吸上げる容器１１内の芳香剤を、吸上げ部材２１の外表面において、揮散領域１６に対して開放される当初開放面Ｈ０〜新規開放面Ｈ１、Ｈ２…、及び揮散部材１７から、揮散領域１６に揮散し、ひいては上キャップ１４の通気口１４Ａから外部空間に放散する。
【００２３】
本実施形態によれば以下の作用効果がある。
（請求項１に対応する作用効果）
▲１▼芳香剤の吸上げ部材２１は使用開始段階で初めて容器１１内に組入れされ、芳香剤を吸上げ可能となる。従って、使用開始当初の香りが過度に強くならず、穏やかな香りとすることができる。
【００２４】
▲２▼吸上げ部材２１の周囲に組付けた筒状部材２３付きフロート２２をキャップ１２（下キャップ１３）により容器１１内の芳香剤中に落とし込みする。従って、吸上げ部材２１と筒状部材２３付きフロート２２をサブ組体Ｂとしながら、容器１１内に組入れでき、部品管理、容器１１への組入れ作業性を簡易化できる。
【００２５】
▲３▼芳香器１０の使用経過により、容器１１内の芳香剤が減少するにつれて、フロート２２及び筒状部材２３が下降し、筒状部材２３による吸上げ部材２１の遮蔽面積を減じ、吸上げ部材２１の揮散領域１６に対する開放面を当初開放面Ｈ０に新規開放面Ｈ１、Ｈ２…を加える如くに増す。吸上げ部材２１の揮散領域１６に対する既開放面、例えばＨ０では芳香剤のうちの揮散しにくい成分のつまりによって芳香剤の揮散流量を減ずることになるものの、新たなつまりのない新規開放面Ｈ１、Ｈ２…の開放によって芳香剤の揮散流量を補填する。これにより、吸上げ部材２１のつまりによる吸上げ部材２１から揮散領域１６への芳香剤の揮散量の経時的な減量を回避する。
【００２６】
▲４▼上述▲３▼の芳香剤の揮散流量の補填度合は、フロート２２及び筒状部材２３の下降速度に支配される。容器１１の横断面積が下端寄りで漸増するものにあっては、フロート２２の下降速度が漸減するから、新規開放面Ｈ１、Ｈ２…の開放速度は経時的に低く、芳香剤の揮散流量の補填度合は経時的に低く、芳香剤の揮散流量を経時的に減量傾向にする。容器１１の横断面積が下端寄りで漸減するものにあっては、フロート２２の下降速度が漸増するから、新規開放面Ｈ１、Ｈ２…の開放速度は経時的に高く、芳香剤の揮散流量の補填度合は経時的に高く、芳香剤の揮散流量を経時的に増量傾向にする。従って、容器１１の断面形状の選択により、芳香剤の揮散流量の所望とする増減傾向を実現できる。
【００２７】
（請求項２に対応する作用効果）
▲５▼使用開始段階における、キャップ１２による筒状部材２３付きフロート２２の落とし込み初期状態で、キャップ１２はフロート２２に作用する浮力に抗してフロート２２を容器１１内の芳香剤中に押し込み状態にした。従って、フロート２２は筒状部材２３とフロート２２に作用する重力とつり合う浮力ｆ０を生ずる深さを越えて芳香剤の中に押し込まれ、上記浮力ｆ０より大きな浮力ｆ１を受け、この浮力ｆ１による上方への浮上をキャップ１２により制止される。これにより、芳香器１０の使用当初、容器１１内の芳香剤が吸上げ部材２１に吸上げ消費されて一定レベル、換言すれば上記浮力ｆ１が上記浮力ｆ０に低減することとなる液面レベルに低下するまで、フロート２２及び筒状部材２３の前述▲３▼の下降を開始しない。よって、芳香器１０の使用当初の吸上げ部材２１の新鮮で揮散性能の良い当初開放面Ｈ０の利用期間を長期化し、吸上げ部材２１の有効利用を図ることができる。
【００２８】
（請求項３に対応する作用効果）
▲６▼キャップ１２の揮散領域１６に位置する側に、吸上げ部材２１が接触する揮散部材１７を設けた。これにより、吸上げ部材２１を長くしなくても、吸上げ部材２１が吸上げた芳香剤の揮散面積を拡大することができ、芳香器１０のコンパクトを図ることができる。
【００２９】
【発明の効果】
本発明によれば、芳香剤の吸上げ部材を用いる芳香器において、使用開始段階の香りを穏やかにし、使用段階では芳香剤の揮散量の経時的減量を回避することができる。
【図面の簡単な説明】
【図１】図１は芳香器の使用開始前状態を示す模式図である。
【図２】図２は吸上げ部材のサブ組体を容器に組入れた状態を示す模式図である。
【図３】図３は芳香器の使用開始状態を示す模式図である。
【符号の説明】
１０  芳香器
１１  容器
１２  キャップ
１６  揮散領域
１７  揮散部材
２１  吸上げ部材
２２  フロート
２３  筒状部材
【図１】
2004267470.tif 000003
【図２】
2004267470.tif 000004
【図３】
2004267470.tif 000005